(57)【要約】【課題】厚さおよび占有面積が縮小された無線モデム用USBコネクタを提供する。【解決手段】本発明の実施形態では、ユニバーサルシリアルバス(USB)コネクタ、USBハウジング、および無線モデムが提供される。USBコネクタは、USBハウジング、サブカード、ケーブル、金属端子、および回転シャフトアセンブリを含む。USBハウジングは両側にそれぞれ配置された第1の固定プレートおよび第2の固定プレートを有する底部を含む。第2の固定プレートには第2の穴が配置される。サブカード、第1の固定プレート、および第2の固定プレートは、底部の同じ側に配置される。金属端子は、サブカードの表面に配置される。ケーブルの一方の端部は金属端子に接続される。回転シャフトアセンブリは、第2の穴に貫入される。USBコネクタは、従来のUSBコネクタよりも薄い。【選択図】図1
2012059693.tif 000002
【特許請求の範囲】
【請求項１】
ユニバーサルシリアルバス(USB)ハウジング、サブカード、ケーブル、金属端子、および回転シャフトアセンブリを含むUSBコネクタであって、
前記USBハウジングは底部を含み、第1の固定プレートおよび第2の固定プレートが、それぞれ前記底部の両側に配置され、前記第2の固定プレートには第2の穴が配置され、
前記サブカードは、前記第1の固定プレートおよび前記第2の固定プレートとともに、前記底部の同じ側に配置され、
前記金属端子は、前記サブカードの表面に部分的にまたは全体的に配置され、
前記ケーブルの一方の端部は、前記金属端子に接続され、
前記回転シャフトアセンブリは、前記第2の穴に貫入され、
前記回転シャフトアセンブリは、回転シャフトスリーブおよび回転シャフトを含み、前記回転シャフトは、前記回転シャフトスリーブ内に部分的に配置されて、前記回転シャフトスリーブに対して回転することができる、USBコネクタ。
【請求項２】
前記回転シャフトアセンブリが前記第2の穴に貫入されるとは、具体的には、
前記回転シャフトスリーブが前記第2の穴に貫入されて、これに固定されるか、または前記回転シャフトが前記第2の穴に貫入されて、これに固定されることである、請求項1に記載のUSBコネクタ。
【請求項３】
前記第1の固定プレートには、第1の穴が配置され、前記ケーブルの他方の端部が前記第1の穴に通される、請求項1または2に記載のUSBコネクタ。
【請求項４】
前記第1の固定プレートと前記第2の固定プレートとの間に配置され、片側に第3の穴が配置された回転シャフト支持体をさらに含む、請求項1から3のいずれか一項に記載のUSBコネクタ。
【請求項５】
前記回転シャフト支持体が、前記USBハウジングの前記底部に固定されて、前記第2の穴が前記第3の穴と対向するか、または前記回転シャフト支持体が、前記第2の固定プレートの片側に固定されて、前記第2の穴が前記第3の穴とつながる、請求項1から4のいずれか一項に記載のUSBコネクタ。
【請求項６】
前記回転シャフトアセンブリが前記第2の穴に貫入されることには、
前記回転シャフトスリーブが前記第2の穴および前記第3の穴に貫入されて、前記第3の穴に固定されるか、または、
前記回転シャフトが前記第2の穴および前記第3の穴に貫入されて、前記第3の穴に固定されるか、または、
前記回転シャフトが前記第2の穴に貫入されて、これから突出し、前記回転シャフトスリーブが前記第3の穴に貫入されて、これに固定されるか、または、
前記回転シャフトスリーブが前記第2の穴に貫入されて、これから突出し、前記回転シャフトが前記第3の穴に貫入されて、これに固定されることが含まれる、請求項1から5のいずれか一項に記載のUSBコネクタ。
【請求項７】
前記第1の固定プレートは、前記第2の固定プレートに対向する、請求項1から6のいずれか一項に記載のUSBコネクタ。
【請求項８】
前記第1の固定プレート、前記第2の固定プレート、および前記回転シャフト支持体によって形成される空間に固定された固定ブロックをさらに含む、請求項1から7のいずれか一項に記載のUSBコネクタ。
【請求項９】
前記サブカードは、前記回転シャフト支持体および前記第1の固定プレートによって形成された空間の方に、前記カードが配置された平面に沿って延びて、拡張部を形成し、2つの隆起部が前記拡張部に配置される、請求項1から8のいずれか一項に記載のUSBコネクタ。
【請求項１０】
カバーをさらに含み、前記カバーは、前記第1の固定プレートおよび前記第2の固定プレートとともに閉鎖空間を形成する、請求項1から9のいずれか一項に記載のUSBコネクタ。
【請求項１１】
前記ケーブルの前記一方の端部と前記金属端子との間の接合部に固定された固定ブラケットをさらに含む、請求項1から10のいずれか一項に記載のUSBコネクタ。
【請求項１２】
凸状線が、それぞれ前記サブカードの2つの側面に沿って、前記ハウジングの前記底部に配置され、前記第1の固定プレート、前記第2の固定プレート、前記サブカード、および前記凸状線は、前記底部の同じ側にある、請求項1から11のいずれか一項に記載のUSBコネクタ。
【請求項１３】
誤挿入防止構造が、各凸状線の一方の端部に配置される、請求項12に記載のUSBコネクタ。
【請求項１４】
底部を含むユニバーサルシリアルバス(USB)ハウジングであって、
第1の固定プレートおよび第2の固定プレートが、それぞれ前記底部の両側に配置され、前記第2の固定プレートには、回転シャフトアセンブリを貫入するための第2の穴が配置される、USBハウジング。
【請求項１５】
凸状線が、それぞれ前記底部の両側に配置され、前記第1の固定プレート、前記第2の固定プレート、および前記凸状線は、前記底部の同じ側にあり、前記第1の固定プレートおよび一方の凸状線は、前記底部の一方の側にあり、前記第2の固定プレートおよび他方の凸状線は、前記底部の他方の側にある、請求項14に記載のUSBハウジング。
【請求項１６】
前記第1の固定プレートと前記第2の固定プレートとの間に配置された回転シャフト支持体をさらに含み、第3の穴が、前記回転シャフト支持体の片側に配置される、請求項14または15に記載のUSBハウジング。
【請求項１７】
前記回転シャフト支持体が前記ＵＳＢハウジングの前記底部に固定されて、前記第2の穴が前記第3の穴と対向するか、または前記回転シャフト支持体が、前記第2の固定プレートの片側に固定されて、前記第2の穴が前記第3の穴とつながる、請求項16に記載のUSBハウジング。
【請求項１８】
ユニバーサルシリアルバス(USB)コネクタおよび本体を含む無線モデムであって、
前記USBコネクタは、USBハウジング、サブカード、ケーブル、金属端子、および回転シャフトアセンブリを含み、前記USBハウジングは両側に第1の固定プレートおよび第2の固定プレートを有する底部を含み、前記第2の固定プレートには第2の穴が配置され、前記サブカードは前記底部に配置され、前記サブカード、前記第1の固定プレート、および前記第2の固定プレートは、前記底部の同じ側にあり、前記金属端子は、前記サブカードの表面に部分的にまたは全体的に配置され、前記ケーブルの一方の端部は前記金属端子に接続され、前記ケーブルの他方の端部は、前記本体の印刷回路板(PCB)に接続され、前記USBコネクタは、前記回転シャフトアセンブリを介して前記本体に連結される、無線モデム。
【請求項１９】
前記第1の固定プレートに第1の穴が配置され、前記ケーブルの前記他方の端部が前記本体の前記PCBに接続されることには、前記ケーブルの前記他方の端部が前記第1の穴に通され、前記本体の前記PCBに接続されることが含まれる、請求項18に記載の無線モデム。
【請求項２０】
前記本体は、表面シェル、前記PCB、上側シェル、および下側シェルを含み、前記PCBの片側に構成部品が配置され、前記表面シェルは、前記PCBの、前記構成部品が配置された側に配置され、前記上側シェルは、前記表面シェルの片側に配置され、前記下側シェルは、前記PCBの、前記構成部品が配置された側とは反対の側に配置され、前記上側シェルと前記下側シェルとは固定され、前記表面シェルおよび前記PCBは、前記上側シェルおよび前記下側シェルによって形成された空間に配置される、請求項18または19に記載の無線モデム。
【請求項２１】
ノッチが前記表面シェルの片側に配置され、第4の穴および第5の穴が、それぞれ前記ノッチの両側に配置される、請求項18から20のいずれか一項に記載の無線モデム。
【請求項２２】
前記回転シャフトアセンブリは、回転シャフトスリーブおよび回転シャフトを含み、前記回転シャフトは、前記回転シャフトスリーブ内に部分的に配置されて、前記回転シャフトスリーブに対して回転することができ、前記USBコネクタは、前記回転シャフトアセンブリを介して前記本体に連結され、具体的には、
前記回転シャフトが前記第4の穴に固定され、前記回転シャフトスリーブが前記第2の穴に貫入されて、これに固定されるか、または、
前記回転シャフトスリーブが前記第4の穴に固定され、前記回転シャフトが前記第2の穴に貫入されて、これに固定される、請求項18から21のいずれか一項に記載の無線モデム。
【請求項２３】
前記USBコネクタは、前記第1の固定プレートと前記第2の固定プレートとの間に配置され、片側に第3の穴が配置された回転シャフト支持体をさらに含む、請求項18から22のいずれか一項に記載の無線モデム。
【請求項２４】
前記回転シャフトアセンブリは、回転シャフトスリーブおよび回転シャフトを含み、前記回転シャフトは、前記回転シャフトスリーブ内に部分的に配置されて、前記回転シャフトスリーブに対して回転することができ、前記USBコネクタは前記回転シャフトアセンブリを介して前記本体に連結され、具体的には、
前記回転シャフトが前記第4の穴に固定され、前記回転シャフトスリーブが前記第2の穴および前記第3の穴に貫入されて、前記第3の穴に固定されるか、または、
前記回転シャフトスリーブが前記第4の穴に固定され、前記回転シャフトが前記第2の穴および前記第3の穴に貫入されて、前記第3の穴に固定されるか、または、
前記回転シャフトが前記第2の穴に貫入されて、これから突出し、前記回転シャフトの、前記第2の穴の外側に突出した部分が前記第4の穴に固定され、前記回転シャフトスリーブが前記第3の穴に貫入されて、これに固定されるか、または、
前記回転シャフトスリーブが前記第2の穴に貫入されて、これから突出し、前記回転シャフトスリーブの、前記第2の穴の外側に突出した部分が前記第4の穴に固定され、前記回転シャフトが前記第3の穴に貫入されて、これに固定される、請求項18から23のいずれか一項に記載の無線モデム。
【請求項２５】
環状シャフトが、前記第1の固定プレートの片側で、前記第1の穴のまわりに配置され、前記第5の穴に配置される、請求項18から24のいずれか一項に記載の無線モデム。
【請求項２６】
前記回転シャフトアセンブリは、回転シャフトスリーブおよび回転シャフトを含み、前記回転シャフトは、前記回転シャフトスリーブ内に部分的に配置されて、前記回転シャフトスリーブに対して回転することができ、前記回転シャフトおよび前記回転シャフトスリーブは金属であり、
前記無線モデムは金属プレートをさらに含み、金属製弾性薄片が、前記金属プレートの一端に配置され、前記金属製弾性薄片は前記PCBに固定されて、前記回転シャフトに接続される、請求項18から25のいずれか一項に記載の無線モデム。
【請求項２７】
前記無線モデムは、カード型無線モデムである、請求項18から26のいずれか一項に記載の無線モデム。
【請求項２８】
前記USBコネクタとは反対側の、前記PCBの他方の側にアンテナが配置された、請求項18から27のいずれか一項に記載の無線モデム。
【請求項２９】
USBハウジング、サブカード、ケーブル、金属端子、回転シャフトアセンブリ、および回転シャフト支持体を含むユニバーサルシリアルバス(USB)コネクタであって、
前記USBハウジングは両側にそれぞれ配置された第1の固定プレートおよび第2の固定プレートを有する底部を含み、前記第1の固定プレートには第1の穴が配置され、前記第2の固定プレートには第2の穴が配置され、
前記サブカードは、前記第1の固定プレートおよび前記第2の固定プレートとともに、前記底部の同じ側に配置され、
前記金属端子は、前記サブカードの表面に部分的にまたは全体的に配置され、
前記ケーブルの一方の端部は前記金属端子に接続され、他方の端部は前記第1の穴に通され、
前記回転シャフト支持体は片側に第3の穴が配置され、前記第1の固定プレートと前記第2の固定プレートとの間に位置し、前記第2の固定プレートの片側に固定されて、前記第2の穴が前記第3の穴とつながり、
前記回転シャフトアセンブリは、回転シャフトおよび回転シャフトスリーブを含み、前記回転シャフトは、前記回転シャフトスリーブ内に部分的に配置されて、前記回転シャフトスリーブに対して回転することができ、前記第2の穴から突出し、前記回転シャフトスリーブは、前記第2の穴から前記第3の穴に貫入されて、前記第3の穴に固定される、USBコネクタ。
【発明の詳細な説明】
【技術分野】
【０００１】
本発明は、通信技術の分野に関し、より詳細には、USBコネクタ、USBハウジング、および無線モデムに関する。
【背景技術】
【０００２】
移動通信技術が急速に発展し、無線ネットワークアクセスなどのデータサービスが成熟度を増し、(無線ネットワークアクセスカードを含む)無線モデムなどの携帯用小型無線ネットワークアクセス端末がより注目を集め、より一般的になった。
【０００３】
USBコネクタを介して従来の無線ネットワークアクセスカードをコンピュータに接続して、ユーザに無線ネットワークアクセスを提供することができる。
【０００４】
本発明を具現化中に、本発明人は、市場で入手できる一般的な無線ネットワークアクセスカードが、USBコネクタの限界、すなわち、USBコネクタが厚く、大きな空間を必要とすることから、一般に軽便でなく、小型で精巧な電子製品を求める現代人の要求を満たすことができないと分かった。
【発明の概要】
【発明が解決しようとする課題】
【０００５】
本発明の実施形態は、USBコネクタ、USBハウジング、および無線モデムを提供し、この実施形態により、USBコネクタの厚さおよび占有面積を縮小することができ、ひいては、軽便にすることができる。
【課題を解決するための手段】
【０００６】
本発明の実施形態は、USBコネクタを提供する。USBコネクタは、USBハウジング、サブカード、ケーブル、金属端子、および回転シャフトアセンブリを含む。USBハウジングは底部を含む。第1の固定プレートおよび第2の固定プレートは、それぞれ底部の両側に配置される。第2の穴は、第2の固定プレートに配置される。サブカードは底部に配置され、サブカード、第1の固定プレート、および第2の固定プレートは、底部の同じ側に配置される。金属端子は、サブカードの表面に部分的にまたは全体的に配置される。ケーブルの一方の端部は金属端子に接続される。回転シャフトアセンブリは第2の穴に貫入される。
【０００７】
本発明の実施形態は、USBハウジングを提供する。USBハウジングは底部を含む。第1の固定プレートおよび第2の固定プレートは、それぞれ底部の両側に配置される。第1の固定プレートおよび第2の固定プレートは、底部の同じ側に配置される。第2の穴は、第2の固定プレートに配置される。第2の穴は、回転シャフトアセンブリを貫入するのに使用される。
【０００８】
本発明の実施形態は、無線モデムを提供する。無線モデムは、USBコネクタおよび本体を含む。USBコネクタは、USBハウジング、サブカード、ケーブル、金属端子、および回転シャフトアセンブリを含む。USBハウジングは底部を含む。第1の固定プレートおよび第2の固定プレートは、それぞれ底部の両側に配置される。第2の穴は、第2の固定プレートに配置される。サブカードは底部に配置される。サブカード、第1の固定プレート、および第2の固定プレートは、底部の同じ側に配置される。金属端子は、サブカードの表面に部分的にまたは全体的に配置される。ケーブルの一方の端部は金属端子に接続され、ケーブルの他方の端部は、本体にある印刷回路板(PCB)の溶着パッドに接続される。回転シャフトアセンブリは第2の穴に貫入される。USBコネクタは、回転シャフトアセンブリを介して本体に連結される。
【０００９】
本発明の実施形態は、USBコネクタを提供する。USBコネクタは、USBハウジング、サブカード、ケーブル、金属端子、回転シャフトアセンブリ、および回転シャフト支持体を含む。USBハウジングは底部を含む。第1の固定プレートおよび第2の固定プレートは、それぞれ底部の両側に配置される。第1の穴は、第1の固定プレートに配置され、第2の穴は、第2の固定プレートに配置される。サブカードは底部に配置される。サブカード、第1の固定プレート、および第2の固定プレートは、底部の同じ側にある。金属端子は、サブカードの表面に部分的にまたは全体的に配置される。ケーブルの一方の端部は金属端子に接続され、ケーブルの他方の端部は第1の穴に通される。第3の穴は、回転シャフト支持体の片側に配置される。回転シャフト支持体は、第1の固定プレートと第2の固定プレートとの間に配置され、第2の固定プレートの片側に固定される。第2の穴は第3の穴とつながる。回転シャフトアセンブリは、回転シャフトおよび回転シャフトスリーブを含む。回転シャフトは、回転シャフトスリーブ内に配置され、回転シャフトスリーブに対して回転することができる。回転シャフトスリーブは、第2の穴から第3の穴に貫入されて、第3の穴に固定される。回転シャフトは第2の穴から突出する。
【００１０】
前述の説明から、USBハウジングの底部は、サブカードを固定するように構成することができ、ケーブルは第1の穴を通り、回転シャフトアセンブリは第2の穴に貫入されると分かった。これにより、USBコネクタの厚さおよび占有面積が縮小され、ひいては、USBコネクタが軽便になる。
【００１１】
本発明の実施形態での技術的な問題解決策をより明瞭に説明するために、かかる実施形態を示す添付図面について以下に概説する。説明する図面は、単に本発明に関する図面の一部にすぎないことは明らかである。本発明の図面を基にして、当業者は、創造的な活動を行うことなく、他の図面を得ることができる。
【図面の簡単な説明】
【００１２】
【図１】本発明の実施形態によるUSBコネクタの3次元概略構造図である。
【図２】本発明の実施形態によるUSBコネクタの分解図である。
【図３】本発明の実施形態による回転シャフトアセンブリの分解図である。
【図４】本発明の実施形態による、回転シャフトアセンブリが第2の穴に貫入している概略図である。
【図５】本発明の実施形態によるUSBコネクタの概略図である。USBコネクタは、第1の固定プレートと第2の固定プレートとの間に配置された回転シャフト支持体を含み、第2の穴は第3の穴に対向し、回転シャフトアセンブリは第2の穴に貫入している。
【図６】本発明の実施形態によるUSBコネクタの概略図であり、この実施形態では、USBコネクタは、第2の固定プレートの片側に固定された回転シャフト支持体を含み、第2の穴は第3の穴とつながり、回転シャフト支持体は第2の穴に貫入している。
【図７】本発明の実施形態によるUSBハウジングの3次元概略構造図である。
【図８】本発明の実施形態による無線モデムの概略構造図である。
【図９】本発明の実施形態による無線モデムの分解図である。
【図１０】本発明の実施形態による無線モデムの一方の側の概略図である。
【図１１】本発明の実施形態による無線モデムの他方の側の概略図である。
【図１２】本発明の実施形態による無線モデムの接地の概略図である。
【発明を実施するための形態】
【００１３】
本発明の実施形態での技術的問題解決策が、本発明の実施形態に関する添付図面を参照して、以下に明瞭かつ完全に説明される。記載した実施形態は、実施形態のすべてではなく、単に本発明の実施形態の一部にすぎないことは明らかである。本発明の実施形態を基にして、当業者は、創造的な活動を行うことなく、他の実施形態を得ることができるが、それらの他の実施形態はすべて、本発明の保護の範囲に包含される。
【００１４】
実施形態1
図1および図2を参照されたい。図1は、本発明のこの実施形態によるUSBコネクタの3次元概略構造図である。図2は、本発明のこの実施形態によるUSBコネクタの分解図である。
【００１５】
USBコネクタ100は、USBハウジング20、サブカード40、ケーブル60、金属端子42、および回転シャフトアセンブリ44を含む。USBハウジング20は底部26を含む。第1の固定プレート22および第2の固定プレート24は、それぞれ底部26の両側に配置されている。第2の穴241は、第2の固定プレート24に配置されている。サブカード40は底部26に配置されている。サブカード40、第1の固定プレート22、および第2の固定プレート24は、底部26の同じ側に配置されている。金属端子42は、サブカード40の表面に部分的にまたは全体的に配置されている。ケーブル60の一方の端部602は、金属端子42に接続されている。回転シャフトアセンブリは、第2の穴241に貫入している。
【００１６】
前述の説明から、サブカード40は底部26に配置され、金属端子42は、サブカード40の表面に部分的にまたは全体的に配置されることが分かった。これにより、USBコネクタの厚さおよび占有空間が縮小される。その結果として、USBコネクタは軽便になり、小型の電子製品を求める現代人の要求を満たす。
【００１７】
第1の穴222は、第1の固定プレート22に配置されている。ケーブルの他方の端部603は、第1の穴222に通される。
【００１８】
第2の固定プレート24の高さは、第2の穴241の高さによって決まり、第2の穴241の高さは、回転シャフトアセンブリ44の高さによって決まる。したがって、第2の固定プレート24の高さは、回転シャフトアセンブリ44の高さによって決まる。回転シャフトアセンブリ44の高さが低くなると、第2の固定プレート24の高さを低くすることができ、ひいては、USBコネクタ100の厚さを大幅に薄くすることができる(第1の固定プレート22の第1の穴222は、ケーブル60を通すために使用されるので、第1の固定プレート22の高さはきわめて低くすることができる)。さらに、USBハウジング20が金属であると、(図2に示すように)高さhを縮めることができ、第2の固定プレート24の高さを低くすることができる。このようにして、USBコネクタ100の強度を保証しながら、その厚さを縮小することができる。その結果、USBコネクタ100は非常に薄くすることができる。
【００１９】
第1の固定プレート22は、第2の固定プレート24に対向することができる。第1の固定プレート22の寸法は、第2の固定プレート24の寸法と同じである、すなわち、それらは外形が同じである。
【００２０】
金属端子42が、サブカード40に部分的にまたは全体的に配置されることには、
USBインターフェイスにつながる金属端子42の一部がサブカード40の表面に配置されるか、または、
金属端子42がサブカード40に全体的に配置されることが含まれる。
【００２１】
本発明のこの実施形態による回転シャフトアセンブリの分解図である図3を参照されたい。回転シャフトアセンブリ44は、回転シャフトスリーブ442および回転シャフト444を含む。回転シャフト444は、回転シャフトスリーブ442内に部分的に配置される。回転シャフト444は、回転シャフトスリーブ442に対して回転することができる。
【００２２】
回転シャフトアセンブリ44が第2の穴241に貫入している概略図である図4を参照されたい。回転シャフトアセンブリが第2の穴241に貫入しているとは、具体的には、
回転シャフトスリーブ442が第2の穴241に貫入されて、これに固定されるか(図4(a)を参照のこと)、または回転シャフト444が第2の穴241に貫入されて、これに固定される(図4(b)を参照のこと)ことである。
【００２３】
再度図2を参照されたい。USBコネクタ100は、回転シャフト支持体46をさらに含む。回転シャフト支持体46は、第1の固定プレート22と第2の固定プレート24との間に配置されている。第3の穴462が回転シャフト支持体46の片側に配置されている。さらに、回転シャフト支持体46は、USBハウジングの底部26に固定することができる。第2の穴241は、第3の穴462と対向している。回転シャフト支持体46の幅は、第1の固定プレート22と第2の固定プレート24との間の距離よりも短くてよい。または、回転シャフト支持体46は第2の固定プレート24の片側に固定されてもよくて、第2の穴241は第3の穴462とつながる。
【００２４】
図5を参照されたい。USBコネクタ100は回転シャフト支持体46を含む。回転シャフト支持体46は、第1の固定プレート22と第2の固定プレート24との間に配置されている。第3の穴462は回転シャフト支持体46の片側に配置されている。第2の穴241は、第3の穴462に対向している。回転シャフトアセンブリ44は、第2の穴241に貫入している。具体的には、回転シャフトアセンブリ44が第2の穴241に貫入していることには、
(図5(a)に示すように)回転シャフトスリーブ442が、第2の穴241と、さらに第3の穴462とに貫入されて、第3の穴462に固定されるか、または、
(図5(b)に示すように)回転シャフト444が、第2の穴241および第3の穴462に貫入されて、第3の穴462に固定されるか、または、
(図5(c)に示すように)回転シャフト444が第2の穴241に貫入されて、これから突出し、回転シャフトスリーブ442が、第3の穴462に貫入されて、これに固定されるか、または、
(図5(d)に示すように)回転シャフトスリーブ442が第2の穴241に貫入されて、これから突出し、回転シャフト444が第3の穴462に貫入されて、これに固定されることが含まれる。
【００２５】
図6を参照されたい。USBコネクタ100は、回転シャフト支持体46をさらに含む。回転シャフト支持体は、第1の固定プレート22と第2の固定プレート24との間に配置されている。第3の穴462は回転シャフト支持体46を貫通して配置されている。回転シャフト支持体46は、第2の固定プレート24の片側に固定されている。第2の穴241は、第3の穴462とつながっている。回転シャフトアセンブリ44は、第2の穴241に貫入している。回転シャフトアセンブリ44が第2の穴241に貫入していることには、
(図6(a)に示すように)回転シャフトスリーブ442が、第2の穴241および第3の穴462に貫入されて、第3の穴462に固定されるか、または、
(図6(b)に示すように)回転シャフト444が、第2の穴241および第3の穴462に貫入されて、第3の穴462に固定されるか、または、
(図6(c)に示すように)回転シャフト444が第2の穴241に貫入されて、これから突出し、回転シャフトスリーブ442が、第3の穴462に貫入されて、これに固定されるか、または、
(図6(d)に示すように)回転シャフトスリーブ442が第2の穴241に貫入されて、これから突出し、回転シャフト444が第3の穴462に貫入されて、これに固定されることが含まれる。
【００２６】
なお、回転シャフトアセンブリ44の回転シャフト444、または回転シャフトスリーブ442が、第2の穴241に部分的に配置される場合、回転シャフトアセンブリ44が第2の穴241に貫入しているとみなすことができ、回転シャフトアセンブリ44の回転シャフト444、または回転シャフトスリーブ442が、第2の穴241内に全体的に配置される場合、同様に、回転シャフトアセンブリ44が第2の穴241に貫入しているとみなすことができる。
【００２７】
例えば、図4(a)では、回転シャフトスリーブ442が第2の穴241に部分的に配置され、または、図4(b)では、回転シャフト444が第2の穴241に配置されている。図4の2つのモードの場合、回転シャフトアセンブリ44が第2の穴241に貫入しているとみなすことができる。
【００２８】
同様に、図5(a)では、回転シャフトスリーブ442が第2の穴241に部分的に配置され、または、図5(b)では、回転シャフト444が第2の穴241に部分的に配置され、または、図5(c)では、回転シャフト444が第2の穴241に部分的に配置され、または、図5(d)では、回転シャフトスリーブ442が第2の穴241に部分的に配置されている。図5の4つのモードの場合、回転シャフトアセンブリ44が第2の穴241に貫入しているとみなすことができる。
【００２９】
同様に、図6(a)では、回転シャフトスリーブ442が第2の穴241に部分的に配置され、または、図6(b)では、回転シャフト444が第2の穴241に部分的に配置され、または、図6(c)では、回転シャフト444が第2の穴241に部分的に配置され、または、図6(d)では、回転シャフトスリーブ442が第2の穴241に部分的に配置されている。図6の4つのモードの場合、回転シャフトアセンブリ44が第2の穴241に貫入しているとみなすことができる。さらに、前述の説明から、回転シャフト444が第3の穴462に固定されるか、または回転シャフトスリーブ442が第3の穴462に固定されることが分かった。2つのモードにより、回転シャフト444または回転シャフトスリーブ442と、第2の固定プレート24との間の共同関係が強化されて、過剰な力のために固定プレート24が損傷を受けるのを回避することができる。
【００３０】
なお、回転シャフト支持体46の第3の穴462は、回転シャフトスリーブ442または回転シャフト444を、貫入および固定するのを可能にする深さがありさえすればよい。もちろん、第3の穴462は、回転シャフト支持体46を貫通してもよい。本発明の実施形態では、第3の穴462の深さは限定されない。
【００３１】
再度図3を参照されたい。回転シャフトアセンブリ44は、固定ギヤプレート446および弾性部品448をさらに含む。回転シャフト444は、ロータ4441、回転ギヤプレート4442、および末端部4444を含む。穴4421は回転シャフトスリーブ442の一方の側に配置されている。別の穴4461は、固定ギヤプレート446に配置されている。回転シャフト444、固定ギヤプレート446、および弾性部品448は、回転シャフトスリーブ442内に配置される。末端部4444は、穴4461および弾性部品448に貫入される。回転ギヤプレート4442は、固定ギヤプレート446と係合する。ロータ4441は、穴4421に貫入される。弾性部品448はスプリングとすることができる。
【００３２】
したがって、回転シャフト444が回転シャフトスリーブ442に対して回転すると、回転ギヤプレート4442は、固定ギヤプレート446に対して回転することができる。回転後、回転ギヤプレート4442は固定ギヤプレートと係合し、この固定ギヤプレートは、位置決め機能を良好に実行する。例えば、回転シャフト444は、回転シャフトスリーブ442に対して回転し、回転シャフトは、45°または90°回転するごとに回転を止めることができる。
【００３３】
当然のことながら、回転ギヤプレート4442および固定ギヤプレート446は、様々なギヤ歯数を有することができる。回転ギヤプレート4442が固定ギヤプレート446に対して回転するときに、回転ギヤプレート4442は、様々な角度で回転することができる。ギヤ歯数が多い場合、回転ギヤプレート4442は小さい角度ずつ回転することができ、ギヤ歯数が少ない場合、回転ギヤプレート4442は、大きい角度ずつ回転することができる。
【００３４】
再度図3を参照されたい。回転シャフトスリーブ442および回転シャフト444の断面は四角形とすることができる。当然のことながら、回転シャフトスリーブ442および回転シャフト444の断面は、三角形、五角形、および六角形であってもよい。もちろん、回転シャフトスリーブ442および回転シャフト444の断面は、円形または楕円形であってもよい。外部力が加えられた後、回転シャフト444は、回転シャフトスリーブ442に対して回転することができる。本発明の実施形態では、回転シャフトスリーブ442および回転シャフト444の断面は限定されない。
【００３５】
サブカード40は底部26に配置されている。具体的には、サブカード40は、接着剤(例えば、両面テープまたは接着剤)を使用して、USBハウジング20の底部26に貼り付けることができる。もちろん、サブカード40は、ねじを使用して底部26に固定することもできる。本発明の実施形態は、そのような方法に限定されるものではない。
【００３６】
再度図2を参照されたい。さらに、サブカード40を良好に固定するために、凸状線29が、それぞれサブカード40の2つの側面に沿って、USBハウジング20の底部26に配置されている。第1の固定プレート22、第2の固定プレート24、サブカード40、および凸状線29は、底部26の同じ側にある。
【００３７】
凸状線29間の距離は、サブカード40の幅とすることができる。すなわち、凸状線間の空間は、サブカード40を収容することができる。サブカード40の厚さは、凸状線29の高さと同じとすることができる。したがって、USBコネクタがUSBインターフェイスに接続されるときに、サブカード40が衝突によって損傷を受けることはない。
【００３８】
当然のことながら、底部26、第1の固定プレート22、および第2の固定プレート24は一体とすることができる。さらに、回転シャフト支持体46、底部26、第1の固定プレート22、および第2の固定プレート24も一体とすることができ、凸状線29、底部26、回転シャフト支持体46、第1の固定プレート22、および第2の固定プレートも一体とすることができる。もちろん、回転シャフト支持体46は、底部26、第1の固定プレート22、および第2の固定プレート24から独立して配置することもでき、凸状線29も、底部26、第1の固定プレート22、および第2の固定プレート24から独立して配置することができる。本発明の実施形態では、それらに関する限定は何ら規定されない。
【００３９】
再度図1を参照されたい。USBコネクタ100は、カバー48をさらに含む。カバー48、第1の固定プレート22、および第2の固定プレート24は、閉鎖空間を形成している。
【００４０】
具体的には、カバー48は、接着剤(例えば、両面テープまたは接着剤)を使用して、第1の固定プレート22および第2の固定プレート24に固定することができる。もちろん、隆起部を第1の固定プレート22に配置することができ、凹部をカバー48に配置することができる。カバー48が第1の固定プレート22と第2の固定プレート24との間に留まるように、凹部を(図では省かれている)隆起部にスナップ式に嵌めることができる。したがって、カバー48、第1の固定プレート22、および第2の固定プレートは、閉鎖空間を形成する。
【００４１】
再度図2を参照されたい。USBコネクタ100は、固定ブラケット62をさらに含む。固定ブラケット62は、信頼性を高めるために、金属端子42とケーブル60の一方の端部との間の接合部に固定される。
【００４２】
USBコネクタ100は、固定ブロック64をさらに含む。固定ブロック64は、第1の固定プレート22、第2の固定プレート24、および回転シャフト支持体46によって形成された空間に固定される。固定ブロック64の形状を、第1の固定プレート22、第2の固定プレート24、および回転シャフト支持体46によって形成された空間に合致させることができる。具体的には、固定ブロック64は、U字形状とすることができる。固定ブロック64は、ねじを使用して固定することができる。もちろん、固定ブロックは、第1の固定プレート22、第2の固定プレート24、および回転シャフト支持体46によって形成された空間に挿入することができる。
【００４３】
再度図2を参照されたい。サブカード40は、回転シャフト支持体46および第1の固定プレート22によって形成された空間の方に、サブカード40が配置された平面に沿って延びて、拡張部41を形成している。2つの隆起部411は、拡張部41に配置されている。ケーブル60の他方の端部603は、2つの隆起部411によって形成された空間を通って、第1の穴222に通される。ケーブル60の他方の端部は、PCBに溶着することができる。具体的には、ケーブル60の他方の端部は、PCBの溶着パッドに溶着することができる。
【００４４】
前述の実施形態の場合、サブカート40はPCBサブカードとすることができ、金属端子42は、PCBサブカードの表面に部分的にまたは全体的に配置することができる。もちろん、サブカード40は樹脂であってもよく、この場合、金属端子42は、インサートモールドによって樹脂サブカードの表面に部分的にまたは全体的に配置することができる。
【００４５】
なお、USBハウジング20は金属とすることができ、凸状線29、第1の固定プレート22、および第2の固定プレート24は金属とすることができ、回転シャフト支持体46も金属とすることができる。もちろん、USBハウジング20は樹脂であってもよい。本発明の実施形態では、それらに関する限定は何ら規定されない。
【００４６】
さらに、前述の実施形態の場合、凸状線29は、それぞれサブカード40の2つの側面に沿って、USBハウジング20の底部に配置されている。誤挿入防止構造227は、各凸状線29の一方の端部に形成されている。誤挿入防止構造227は、USBコネクタ100がUSBインターフェイスに逆に連結されるのを防止することができる。
【００４７】
USBコネクタ100を組み立てる手順が図2を参照して以下に説明される。(底部26、第1の固定プレート22、および第2の固定プレート24を含む)USBハウジング20と回転シャフト支持体46とが統合され、サブカード40は拡張部41を含み、金属端子42がサブカード40に部分的に配置され、2つの隆起部411が拡張部41に配置されている。
【００４８】
最初に、拡張部41を有するサブカード40をUSBハウジング20の底部26に固定する(拡張部41は、回転シャフト支持体46と第1の固定プレート22との間の空間に配置されている)。
次いで、ケーブル60の一方の端部を金属端子42に接続し(具体的には、ケーブル60の4つの芯線をそれぞれ4つの金属端子42に溶着し)、ケーブルの他方の端部603を、2つの隆起部411によって形成された空間に通し、次いで、第1の固定プレート22に配置された第1の穴222に通す。
固定ブラケット62を、金属端子42とケーブル60の一方の端部602との間の接合部に固定し、固定ブロック64を、第1の固定プレート、第2の固定プレート、および回転シャフト支持体46によって形成された空間に固定し、次いで、ねじ締めする。
最後に、カバー48、第1の固定プレート22、および第2の固定プレート24で閉鎖空間を形成する。具体的には、カバー48、第1の固定プレート22、および第2の固定プレート24が閉鎖空間を形成するように、カバー48を、回転シャフト支持体46および固定ブロック64の表面、ならびに第1の固定プレート22と第2の固定プレート24との間に固定する。
【００４９】
USBコネクタ100が組み立てられた。本発明の実施形態では、USBコネクタ100の組立手順が1種類だけ説明されたが、USBコネクタ100の組立手順が前述の手順に限定されないのはもちろんである。
【００５０】
なお、USBハウジングの、サブカード40を配置するための部分の断面はU字形状である(すなわち、USBハウジングの、底部26および凸状線29によって形成された部分の断面はU字形状である)。USBコネクタ100は、USBインターフェイスとすることができる。USBインターフェイスは、非標準USBインターフェイスとすることができる、すなわち、USBインターフェイスは、ハーフソケットUSBインターフェイス(例えば、図1に示すUSBコネクタ)とすることができる。
【００５１】
図2は、本発明のこの実施形態で提供されるUSBコネクタを示している。USBコネクタ100は、USBハウジング20、サブカード40、ケーブル60、金属端子42、回転シャフトアセンブリ44、および回転シャフト支持体46を含む。USBハウジング20は底部26を含む。第1の固定プレート22および第2の固定プレート24は、それぞれ底部26の両側に配置されている。第1の穴222は、第1の固定プレート22に配置され、第2の穴241は、第2の固定プレート24に配置されている。サブカード40は底部26に配置されている。サブカード40、第1の固定プレート22、および第2の固定プレート24は、底部26の同じ側に配置されている。金属端子42は、サブカード40の表面に部分的にまたは全体的に配置されている。ケーブル60の一方の端部602は、金属端子42に接続されている。ケーブル60の他方の端部603は、第1の穴222に通される。第3の穴462は、回転シャフト支持体46の片側に配置されている。回転シャフト支持体46は、第1の固定プレート22と第2の固定プレート24との間に配置されている。回転シャフト支持体46は、第2の固定プレート24の片側に固定されている。第2の穴241は第3の穴462とつながっている。回転シャフトアセンブリ44は、回転シャフト444および回転シャフトスリーブ442を含む。回転シャフト444は、回転シャフトスリーブ442内に配置され、回転シャフトスリーブ442に対して回転することができる。回転シャフトスリーブ442は、第2の穴241から第3の穴462に貫入される。回転シャフトスリーブ442は、第3の穴462に固定される。回転シャフト444は、第2の穴241から突き出る。
【００５２】
前述の説明から、サブカード40は底部26に配置され、金属端子42は、サブカード40の表面に部分的にまたは全体的に配置されることが分かった。これにより、USBコネクタの厚さおよび占有空間が縮小される。その結果として、USBコネクタは軽便になり、小型の電子製品を求める現代人の要求を満たす。
【００５３】
なお、その一方の端部が金属端子42に接続されたケーブル60は、フレキシブル印刷ケーブル(FPC)または一般的なケーブルとすることができる。本発明の実施形態では、それらに関する限定は何ら規定されない。
【００５４】
実施形態2
図7は、本発明のこの実施形態によるUSBハウジングの概略構造図である。USBハウジング20は底部26を含む。第1の固定プレート22および第2の固定プレート24は、それぞれ底部26の両側に配置されている。第1の固定プレート22および第2の固定プレート24は、底部26の同じ側に配置されている。第2の穴241は、第2の固定プレート24に配置されている。第2の穴241は、回転シャフトアセンブリ44(図2を参照のこと)を貫入するのに使用される。
【００５５】
前述の説明から、USBハウジング20の底部26は、サブカード40を固定するように構成することができ、ケーブル60は、第1の穴222を通り、回転シャフトアセンブリ44は、第2の穴241に貫入されることが分かる。これにより、USBコネクタの厚さおよび占有空間が縮小され、USBコネクタが軽便になる。
【００５６】
第1の穴222は、第1の固定プレート22に配置されている。第1の穴222は、(図2に示すように)ケーブル60を通すのに使用される。
【００５７】
第2の固定プレート24の高さは、第2の穴241の高さによって決まり、第2の穴241の高さは、回転シャフトアセンブリ44の高さによって決まる。したがって、第2の固定プレート24の高さは、回転シャフトアセンブリ44の高さによって決まる。回転シャフトアセンブリ44の高さが低くなると、第2の固定プレート24の高さを低くすることができ、ひいては、USBコネクタ100の厚さを大幅に薄くすることができる(第1の固定プレート22の第1の穴222は、ケーブル60を通すために使用されるので、第1の固定プレート22の高さは低くすることができる)。さらに、USBハウジングが金属であると、(図2に示すように)高さhを縮めることができ、第2の固定プレート24の高さを低くすることができる。このようにして、USBコネクタ100の強度を保証しながら、その厚さを縮小することができる。その結果、USBコネクタ100は非常に薄くなり得る。
【００５８】
USBハウジング20は金属とすることができる。
【００５９】
さらに、凸状線29が、それぞれ底部26の両側に沿って配置されている。第1の固定プレート22、第2の固定プレート24、および凸状線は、底部26の同じ側にある。さらに、第1の固定プレート22および一方の凸状線29は、底部の一方の側にあり、第2の固定プレート24および他方の凸状線29は、底部の他方の側にある。
【００６０】
誤挿入防止構造227は、各凸状線29の一方の端部に配置されている。誤挿入防止構造227は、USBコネクタが逆に連結されるのを防止することができる。
【００６１】
再度図7を参照されたい。USBハウジング20は、回転シャフト支持体46をさらに含む。回転シャフト支持体46は、第1の固定プレート22と第2の固定プレート24との間に配置されている。第3の穴462は、回転シャフト支持体46の片側に配置されている。さらに、回転シャフト支持体46は、USBハウジングの底部26に固定することができる。第3の穴462は、第2の穴241に対向している。回転シャフト支持体46の幅は、第1の固定プレート22と第2の固定プレート24との間の距離よりも短くてよい。または、回転シャフト支持体46は、第2の固定プレート24の片側に固定されてもよくて、第2の穴241は第3の穴462とつながる。
【００６２】
なお、「実施形態2」の第2の穴241は、回転シャフトアセンブリ44を貫入するのに使用される。詳細は、「実施形態1」の図4、図5、または図6に関する説明を参照されたい。ここでは、その詳細を繰り返すことはしない。
【００６３】
なお、この実施形態では、ケーブルは、FPCまたは一般的なケーブルとすることができる。本発明の実施形態では、それらに関する限定は何ら規定されない。
【００６４】
実施形態3
図8、図9、および図2を参照されたい。図8は、本発明のこの実施形態による無線モデムの概略構造図である。図9は、本発明のこの実施形態による無線モデムの分解図である。
【００６５】
無線モデム600は、USBコネクタ100および本体200を含む。USBコネクタ100は、USBハウジング20、サブカード40、ケーブル60、金属端子42、および回転シャフトアセンブリ44を含む。USBハウジング20は底部26を含む。第1の固定プレート22および第2の固定プレート24は、それぞれ底部26の両側に配置されている。第2の穴241は、第2の固定プレート24に配置されている。サブカード40は底部26に配置されている。サブカード40、第1の固定プレート22、および第2の固定プレート24は、底部26の同じ側に配置されている。金属端子42は、サブカード40の表面に部分的にまたは全体的に配置されている。ケーブル60の一方の端部602は、金属端子42に接続され、ケーブル60の他方の端部603は、本体200のPCB 82に接続されている。回転シャフトアセンブリ44は、第2の穴241に貫入している。USBコネクタ100は、回転シャフトアセンブリ44を介して本体に連結されている。
【００６６】
前述の説明から、サブカード40は、USBハウジング20の底部26に配置され、金属端子42は、サブカード40の表面に部分的にまたは全体的に配置されることが分かった。これにより、USBコネクタの厚さおよび占有空間が縮小される。その結果として、USBコネクタは軽便になり、小型の電子製品を求める現代人の要求を満たす。
【００６７】
ケーブルの他方の端部603が、本体200のPCB 82に接続されるとは、ケーブルの他方の端部603が、本体200のPCB 82の溶着パッドに接続されることとみなすことができる。
【００６８】
さらに、第1の穴222が、第1の固定プレート22に配置されている。ケーブルの他方の端部603が、本体200のPCB 82に接続されるとは、具体的には、ケーブルの他方の端部603が第1の穴222に通され、次いで、本体200のPCB 82に接続されるということである。
【００６９】
USBコネクタ100に関する詳細は「実施形態1」を参照されたい。USBコネクタ100については、無線モデム600に関するこの実施形態では詳細に説明することはしない。
【００７０】
USBハウジング20に関する詳細は「実施形態1」の関連部分および「実施形態2」を参照されたい。USBハウジング20については、無線モデム600に関するこの実施形態では詳細に説明することはしない。
【００７１】
図8および図2を参照されたい。回転シャフト444の軸中心は、サブカード40が配置された平面に対して平行であり、金属端子の延長方向に対して垂直である。すなわち、USBコネクタ100は、(図8に示すように)回転シャフト444の軸中心のまわりを前方に回転することができる。
【００７２】
本発明のこの実施形態で提供される無線モデムの分解図を表す図9を参照されたい。構成部品はPCB 82の片側に配置されている。
【００７３】
SIMソケット821はPCB 82に配置されている。SIMカードは、SIMソケットに挿入することができる。再度図9を参照されたい。本体200は、表面シェル84、PCB 82、上側シェル86、および下側シェル88を含む。表面シェル84は、PCB 82の一方の側に配置され、上側シェル86は、表面シェル84の一方の側に配置され、下側シェル88は、PCB 82の他方の側に配置される。上側シェル86および下側シェル88は固定される。表面シェル84およびPCB 82は、上側シェル86と下側シェル88とによって形成される空間に配置される。上側シェル86と下側シェル88とは、超音波を使用して溶着することができる。再度図9を参照されたい。ノッチ10は、表面シェル84の片側に配置されている。第4の穴11および第5の穴12が、それぞれノッチ10の両側に配置されている。第4の穴11は、回転シャフト444または回転シャフトスリーブ442を固定することができる。ノッチは、上側シェル86および下側シェル88の対応する側にも配置されている。このようにして、上側シェル86、下側シェル88、および表面シェル84のノッチは、USBコネクタ100がノッチ内で回転できるように、USBコネクタ100を保持することができる。
【００７４】
USBコネクタ100は、回転シャフトアセンブリ44を介して本体200に連結され、具体的には、
回転シャフト444が第4の穴11に固定され、(図4(a)に示すように)回転シャフトスリーブ442が第2の穴241に貫入されて、これに固定されるか、または、
回転シャフト444が第4の穴11に固定され、(図5(a)および図6(a)に示すように)回転シャフトスリーブ442が第2の穴241および第3の穴462に貫入されて、第3の穴462に固定されるか、または、
回転シャフトスリーブ442が第4の穴11に固定され、(図4(b)に示すように)回転シャフト444が第2の穴241に貫入されて、これに固定されるか、または、
回転シャフトスリーブ442が第4の穴11に固定され、(図5(b)および図6(b)に示すように)回転シャフト444が第2の穴241および第3の穴462に貫入されて、第3の穴に462固定されるか、または、
(図5(c)および図6(c)に示すように)回転シャフト444が第2の穴241に貫入されて、これから突出し、回転シャフト444の、第2の穴241の外側に突出した部分が第4の穴11に固定され、回転シャフトスリーブ442が第3の穴462に貫入されて、これに固定されるか、または、
(図5(d)および図6(d)に示すように)回転シャフトスリーブ442が第2の穴241に貫入されて、これから突出し、回転シャフトスリーブ442の、第2の穴241の外側に突出した部分が第4の穴11に固定され、回転シャフト444が第3の穴462に貫入されて、これに固定される。
【００７５】
前述の方法では、USBコネクタ100は、回転シャフトアセンブリ44を介して本体200に連結することができる。
【００７６】
さらに、環状シャフト224が、第1の固定プレート22の片側で第1の穴222のまわりに配置されている。環状シャフト224は、第5の穴12内に配置される。
【００７７】
以下は、第4の穴11に固定される回転シャフト444を一例として取り上げる。図2を参照されたい。回転シャフト444および回転シャフトスリーブ442の断面は四角形とすることができる。したがって、図9に示すように、ノッチ10の一方の側にある第4の穴11の断面も四角形とすることができる。このようにして、回転シャフトスリーブ442を第2の穴241に貫入して、これに固定する。回転シャフト444は、第4の穴11に配置される。USBコネクタ100を回転させるために外力が加えられると、回転シャフトスリーブ442は回転シャフト444に対して回転することができる。したがって、USBコネクタ100は、本体200に対して回転することができる。
【００７８】
ノッチ10の他方の側にある第5の穴11の断面は、円形または四角形とすることができる。もちろん、本発明の実施形態では、そのような限定は何ら規定されない。回転シャフトアセンブリ44は金属とすることができる。回転シャフトアセンブリの回転シャフト444および回転シャフトスリーブ442は金属とすることができる。回転シャフトアセンブリ44に関する詳細は「実施形態1」の関連部分を参照されたい。回転シャフトアセンブリ44については、ここで詳細を再度説明することはしない。
【００７９】
図9を再度参照されたい。無線モデム600は、金属プレート90をさらに含む。金属製弾性薄片91が、金属プレート90の片側に形成されている。金属プレート90は、PCB 82に固定される。金属プレート90の金属製弾性薄片91は、回転シャフト444に接続される。回転シャフト444および回転シャフトスリーブは金属(例えば、鉄または銅)である。図12に示すように、このようにして、USBコネクタは接地される。
【００８０】
さらに、上側シェル86および下側シェル88の、PCB 82を覆う部分は金属とすることができる。
【００８１】
USBコネクタ100とは反対側の、PCB 82の他方の側には、アンテナ75が配置されている。アンテナ75は、PCB 82の給電点に接続されている。上側シェル86および下側シェルの、アンテナ75を覆う部分は樹脂とすることができる。このようにして、アンテナ75の性能は悪影響を受けなくなる。上側シェル86の金属部分および樹脂部分は、インサートモールドによって一体化することができる。同様に、下側シェル88の金属部分および樹脂部分は、インサートモールドによって一体化することができる。アンテナ75は、FPCアンテナとすることができる。
【００８２】
前述の説明から、構成部品がPCB 82の片側に配置され、表面シェル84が、PCBの、構成部品を配置した側に配置されることが分かった。上側シェル86と下側シェル88とは、超音波を使用して溶着することができる。上側シェル86および下側シェル88は、表面シェル84およびPCB 82を覆う。図8に示すように、このようにして、本体200を非常に薄くすることができる。無線モデム600は、軽便であり、財布に入れて持ち運べるカード型の無線モデムとすることができる。
【００８３】
再度図8を参照されたい。ホルダ93が、本体200の表面に配置されている。ホルダ93は、USBコネクタ100を保持するように構成することができる。
【００８４】
図10は、本発明のこの実施形態による無線モデムの一方の側の図である。図11は、本発明の本実施形態による無線モデムのもう一方の側の図である。隆起部92は、ノッチ88を囲んで配置されている。USBコネクタ100がホルダ93内に保持されると、USBコネクタ100のカバー48は、隆起部92に合わせた位置で整列する。これは、無線モデムをエレガントにする。
【００８５】
なお、「実施形態1」および「実施形態2」における説明は、「実施形態3」にも当てはまり得る。「実施形態2」における説明は、「実施形態1」にも当てはまり得る。「第1」、「第2」、「第3」、および「第4」などの用語は、構成部品を区別する目的で用いられたのであって、本発明の実施形態を限定するものではない。
【００８６】
前述したものは、本発明の例示的な実施形態を説明および開示する目的で提示された。記載した実施形態については、本発明の範囲または趣旨から逸脱することなく、修正および適応させることができる。
【符号の説明】
【００８７】
20  USBハウジング
22  第1の固定プレート
24  第2の固定プレート
26  底部
40  サブカード
42  金属端子
44  回転シャフトアセンブリ
60  ケーブル
100  USBコネクタ
241  第2の穴
442  回転シャフトスリーブ
444  回転シャフト
【図１】
2012059693.tif 000003
【図２】
2012059693.tif 000004
【図３】
2012059693.tif 000005
【図４】
2012059693.tif 000006
【図５】
2012059693.tif 000007
【図６】
2012059693.tif 000008
【図７】
2012059693.tif 000009
【図８】
2012059693.tif 000010
【図９】
2012059693.tif 000011
【図１０】
2012059693.tif 000012
【図１１】
2012059693.tif 000013
【図１２】
2012059693.tif 000014
【外国語明細書】
2012059693.tif 000015
2012059693.tif 000016
2012059693.tif 000017
2012059693.tif 000018
2012059693.tif 000019
2012059693.tif 000020
2012059693.tif 000021
2012059693.tif 000022
2012059693.tif 000023
2012059693.tif 000024
2012059693.tif 000025
2012059693.tif 000026
2012059693.tif 000027
2012059693.tif 000028
2012059693.tif 000029
2012059693.tif 000030
2012059693.tif 000031
2012059693.tif 000032
2012059693.tif 000033
2012059693.tif 000034
2012059693.tif 000035
2012059693.tif 000036
2012059693.tif 000037
2012059693.tif 000038
2012059693.tif 000039
2012059693.tif 000040
2012059693.tif 000041
2012059693.tif 000042
2012059693.tif 000043
2012059693.tif 000044
2012059693.tif 000045
2012059693.tif 000046
2012059693.tif 000047